(57)【要約】【課題】除霜運転時にも冷気を供給して、刺身などの生鮮食品の鮮度を維持できる。しかも、通常運転時における蒸発器への着霜を極力避けて除霜運転間隔を拡大できる。したがって、２４時間連続して運転するのに好適な平型オープンショーケースを提供する。【解決手段】上面が開口する商品収容室５の前側、下側および後側に、冷気循環通路６を備えている。冷気循環通路６の内部に主蒸発器１２と送風ファン１４を配置する。冷気循環通路６の吹出し口９と主蒸発器１２との間に、主蒸発器１２から出る除霜用の温風を冷却する補助蒸発器１５を配置する。従来型の主蒸発器に比べて低着霜化した主蒸発器１２で、循環冷気を冷却する。主蒸発器１２は、その冷媒管３１の断面積および有効本数が、従来のそれらに比べて、大きく設定してある。商品収容室５の下方に、商品収容室５側の冷気循環経路をバイパスする冷気室７を区画して、冷気室７を通る冷気で商品収容室５を冷却する。【選択図】図１
2006046843.tif 000002
【特許請求の範囲】
【請求項１】
上面が開放された商品収容室５と、商品収容室５の前側、下側、および後側を囲む冷気循環通路６とを備えており、
冷気循環通路６の内部に、主蒸発器１２と送風ファン１４とが配置されており、
冷気循環通路６の吹出し口９と主蒸発器１２との間に、主蒸発器１２から出る除霜用の温風を冷却する補助蒸発器１５が配置されており、
従来型の主蒸発器に比べて、冷媒管３１の断面積および有効本数を増加して低着霜化した主蒸発器１２で、商品収容室５から帰還する冷気を冷却することを特徴とする平型オープンショーケース。
【請求項２】
商品収容室５の底に配置されるデッキパン４と、内箱２の底壁との間に、商品収容室５に連通する冷気室７が区画形成されており、
冷気室７は、内箱２の前後壁に開口した入口２２および出口２３を介して、吹出し口９側の冷気循環通路６、および吸込み口８側の冷気循環通路６に連通して、商品収容室５側の冷気循環経路をバイパスしており、
主蒸発器１２で冷却された冷気の一部が、冷気室７を介して緩やかに循環するようにした請求項１記載の平型オープンショーケース。
【請求項３】
商品収容室５の前縁には、左右方向に沿って外堰板１７と、外堰板１７より低い高さの内堰板１８とが対向状に配置されていて、両堰板１７・１８間に冷気循環通路６の吸込み口８が開口しており、
外堰板１７の上端が冷気循環通路６の吹出し口９とほぼ同じ高さに位置しており、
吹出し口９に整流ルーバー１９を配置して、吹出し口９から吹き出るエアーカーテンが、内堰板１８へ向かって斜め下向きに指向するよう形成された請求項１または２記載の平型オープンショーケース。
【請求項４】
主蒸発器１２の入口側に、送風ファン１４と、送風ファン１４を支持する導風枠１３とが配置されており、
送風ファン１４は、軸流型のファン２６と、ファン２６を回転駆動するＤＣモーター２７とを含み、
ファン２６による加圧風が、主蒸発器１２の入口に臨む冷気循環通路６の底壁と衝突する向きに、送風ファン１４が導風枠１３に対して斜めに支持されている請求項１記載の平型オープンショーケース。
【発明の詳細な説明】
【技術分野】
【０００１】
本発明は、商品収容室の上面側が開放されていて、商品収容室の下側に冷気循環通路を有する平型のオープンショーケースに関する。
【背景技術】
【０００２】
本発明のオープンショーケースは、除霜運転時に商品収容室の温度が上昇するのを防止するために、主蒸発器から出る除霜用の温風を補助蒸発器で冷却して商品収容室へ吹き出すが、このように複数の蒸発器を用いることにより、除霜運転時に商品収容室の温度上昇を防ぐことは特許文献１、２に公知である。
【０００３】
特許文献１のオープンショーケースでは、冷気循環通路内に２台の蒸発器を設置しておき、一方の蒸発器が除霜運転されているとき、他方の蒸発器で冷気を供給できるようにしている。除霜運転中の蒸発器は、高温（４０℃）の冷媒液を熱源にして霜を融解するようになっており、その出口側の通路は除霜が終了するまでダンパーで塞いである。
【０００４】
特許文献２のオープンショーケースにおいては、冷気循環通路内に隣接させて設置した２台の蒸発器を交互に除霜運転する。除霜運転中の蒸発器は、除霜用のヒーターを熱源にして霜を融解する。蒸発器から出る除霜用の温風は、他方の蒸発器を通過した冷気とともに吹出し口から吹き出るので、除霜運転時に商品収容室の温度が急に上昇するのを防止できる。
【０００５】
【特許文献１】特開昭６３−４９６８０号公報（第３頁上段左欄、第３図）
【特許文献２】特開平７−４８２６号公報（段落番号００１５、図２）
【発明の開示】
【発明が解決しようとする課題】
【０００６】
２４時間休まずに営業する店舗においては、冷蔵ショーケースなどを２４時間連続運転することになる。そのため、従来型の店舗で冷蔵ショーケースを断続的に使用する場合に比べて、より短時間で蒸発器に霜がつき、頻繁に除霜運転をする必要がある。とくに、上面全体が開口する平型のオープンショーケースの場合には、周辺空気がショーケース内へ入り込みやすため、他の形態のオープンショーケースに比べて、除霜のための運転間隔が短い。
【０００７】
因みに、平型のオープンショーケースは陳列商品が見やすいので、刺身や生魚などの生鮮食品を陳列する際に使用することが多いが、この種の生鮮食品を陳列した状態で除霜運転を行うと、商品収容室に吹き出る除霜用の温風によって、例えば刺身がヒートショックを受けて急激に鮮度が落ちてしまう。この点、特許文献１、２などの冷却システムを採用すると、除霜運転時にも冷気を供給できるので、陳列商品の鮮度が急に落ちるのを解消できる。しかし、２４時間連続運転する場合には、除霜運転を頻繁に行う必要があり、除霜運転に伴う冷熱のロスが増大する。
【０００８】
蒸発器における冷媒管の入口あるいは出口の温度は、蒸発器に供給される冷媒温度に依存する。冷媒温度を一定にする場合には、冷媒管の断面積、および蒸発器における冷媒管の有効本数が大きくなるほど、冷媒管の入口あるいは出口における冷媒温度を高くすることができる。このことは、冷媒管の入口あるいは出口における冷媒温度が高ければ高いほど、循環冷気の温度と蒸発器の表面温度との差を小さくでき、その分だけ霜の発生を抑止できることを意味する。本発明者はこの点に着目して、蒸発器を低着霜化することを思いつき、本発明を提案するに至った。
【０００９】
本発明の目的は、刺身や生魚などの生鮮食品の鮮度を維持しながら、蒸発器における着霜を極力避けて除霜運転間隔を拡大でき、その分だけ冷熱のロスを抑止できる平型オープンショーケースを提供することにある。本発明の目的は、除霜運転時にも冷気を供給して商品の鮮度を維持でき、２４時間連続して運転するのに好適な平型オープンショーケースを提供することにある。
【課題を解決するための手段】
【００１０】
本発明の平型オープンショーケースは、上面が開放された商品収容室５と、商品収容室５の前側、下側、および後側を囲む冷気循環通路６とを備えている。冷気循環通路６の内部には、主蒸発器１２と送風ファン１４とを配置する。冷気循環通路６の吹出し口９と主蒸発器１２との間には、主蒸発器１２から出る除霜用の温風を冷却する補助蒸発器１５を配置する。以て、従来型の主蒸発器に比べて、冷媒管３１の断面積および有効本数を増加して低着霜化した主蒸発器１２で、商品収容室５から帰還する冷気を冷却する点に特徴を有する。
【００１１】
商品収容室５の底に配置されるデッキパン４と、内箱２の底壁との間には、商品収容室５に連通する冷気室７を区画形成する。この冷気室７は、内箱２の前後壁に開口した入口２２および出口２３を介して、吹出し口９側の冷気循環通路６、および吸込み口８側の冷気循環通路６に連通して、商品収容室５側の冷気循環経路をバイパスする。以て、主蒸発器１２で冷却された冷気の一部を、冷気室７を介して緩やかに循環させることができる。
【００１２】
商品収容室５の前縁には、左右方向に沿って外堰板１７と、外堰板１７より低い高さの内堰板１８とを対向状に配置し、両堰板１７・１８間に冷気循環通路６の吸込み口８を開口する。その際に、外堰板１７の上端は冷気循環通路６の吹出し口９とほぼ同じ高さに位置させる。吹出し口９には整流ルーバー１９を配置して、吹出し口９から吹き出るエアーカーテンを内堰板１８へ向かって斜め下向きに指向するよう形成することができる。
【００１３】
主蒸発器１２の入口側には、送風ファン１４と、送風ファン１４を支持する導風枠１３とを配置し、送風ファン１４が、軸流型のファン２６と、このファン２６を回転駆動するＤＣモーター２７とを含み、ファン２６による加圧風が、主蒸発器１２の入口に臨む冷気循環通路６の底壁と衝突する向きに、送風ファン１４を導風枠１３に対して斜めに支持することができる。
【発明の効果】
【００１４】
本発明では、除霜運転時に主蒸発器１２から出る除霜用の温風を補助蒸発器１５で冷却するので、除霜用の温風が商品収容室５に直接送給されるのを防止して、商品収容室５の温度が上昇したり、あるいは温風に晒された刺身がヒートショックを受けるのを一掃でき、生鮮食品を陳列した状態で支障なく除霜運転を行える。
【００１５】
さらに、従来型の主蒸発器に比べて、冷媒管３１の断面積および有効本数を増加して低着霜化された主蒸発器１２で商品収容室５から帰還する冷気を冷却して、通常運転時における主蒸発器１２への着霜を抑止するので、その分だけ主蒸発器１２の除霜運転間隔を拡大できるし、除霜運転を頻繁に行うことに伴う冷熱のロスも抑止でき、全体として２４時間連続して運転するのに好適な平型オープンショーケースを提供できる。
【００１６】
商品収容室５の下方に冷気室７を区画形成し、主蒸発器１２で冷却された冷気の一部が、冷気室７を介して緩やかに循環するようにした平型オープンショーケースによれば、冷気室７を緩やかに循環する冷気で、商品収容室５に収容した生鮮食品を冷却できるうえ、冷気室７内の冷気の分だけ商品収容室５の冷熱量を増加して、商品収容室５の温度状態を一定温度に維持できる。例えば、主蒸発器で冷やされた冷気の全てを商品収容室送給する場合には、商品の頻繁な出し入れなどによって商品収容室の温度が大きく変動し、これを適温に復旧させるのに時間が掛かるが、上記のように、常に新規な冷気を冷気室７に循環させると、商品収容室５の温度上昇を冷気室７内の冷気で吸収し、あるいは、冷気室７内の冷気で商品収容室５を冷却して温度上昇を抑止できるので、商品収容室５の温度変動を抑止できる。
【００１７】
商品収容室５の前縁に沿って設けた外堰板１７および内堰板１８のうち、外堰板１７を吹出し口９とほぼ同じ高さ位置に設定し、吹出し口９から吹き出るエアーカーテンを内堰板１８へ向かって斜め下向きに指向させてあると、商品収容室５内の冷気がケース前方へ洩れ出るのを防止しながら、周辺空気が吸込み口８に吸い込まれるのを阻止できる。また、内堰板１８は、吹出し口９から吹き出るエアーカーテンを受け止めて、エアーカーテンの流れが吸込み口８に直接吸い込まれるのを防止する。こうした内外の両堰板１７・１８のせき止め作用によって、商品収容室５内の温度のばらつきを抑止し、冷気の無駄な消費を抑えて、商品収容室５に収容した生鮮食品の鮮度を維持できる。
【００１８】
主蒸発器１２の入口側に配置した送風ファン１４を導風枠１３で斜めに支持して、ファン２６から送出される冷気を、主蒸発器１２の入口に臨む冷気循環通路６の底壁に向かって衝突させると、底壁に衝突した冷気を底壁に沿って全周方向へ変向案内し、ケース幅方向へ分散させることができる。したがって、主蒸発器１２を通過する冷気が一部分に集中するのを解消できる。これにより、主蒸発器１２の除霜運転の間隔を拡大できるうえ、定常運転時における主蒸発器１２の熱交換効率が向上する。
【発明を実施するための最良の形態】
【００１９】
（実施例）  図１ないし図５は本発明に係る平型オープンショーケースの実施例を示す。図１ないし図３においてオープンショーケースは、上面が開口する横長角箱状の外箱１と、上面が開口する断面コ字状の内箱２と、外箱１を支持するケース台３とを有する。内箱２の上下中途部にはデッキパン４が配置されており、デッキパン４の上方に商品収容室５が区画形成されている。
【００２０】
ここでの商品収容室５は、その上下がエアーカーテンとデッキパン４とで挟まれ、前後が内箱２の前後壁で囲まれる空間を意味する。商品収容室５の容積や断面形状は、デッキパン４の内箱２に対する装着姿勢を変更することにより変化する。
【００２１】
外箱１は断熱壁で形成してあり、商品収容室５の前側、下側、および後側を囲む冷気循環通路６が、外箱１と内箱２との間に形成されている。内箱２はステンレス板材で形成してあり、先のデッキパン４と内箱２の底壁との間に冷気室７が区画形成されている。
【００２２】
冷気室７はデッキパン４の隣接隙間などを介して商品収容室５と連通しており、冷気室７の内部の冷気によって陳列した商品が、デッキパン４を介して冷却される。その詳細は後述する。図示していないが、吸込み口８はパンチングメタルで覆われている。
【００２３】
冷気循環通路６は、外箱１の前縁に沿って上向きに開口する吸込み口８と、外箱１の後縁上部に沿って前向きに開口する吹出し口９とを介して商品収容室５に連通している。冷気循環通路６の内部、具体的には、外箱１の底壁と内箱２の底壁との間に区画される前後方向の通路内で、ケース後端寄りに主蒸発器１２を配置し、その前部に固定した導風枠１３に複数個の送風ファン１４を配置する。図２において主蒸発器１２の左右幅は、冷気循環通路６の左右幅より僅かに小さく寸法設定する。
【００２４】
吹出し口９と主蒸発器１２との間に区画される縦方向の通路には、上下の中途部に、主蒸発器１２から出る除霜用の温風を冷却するための補助蒸発器１５を配置する。補助蒸発器１５の左右幅は、主蒸発器１２の左右幅と同じに設定してある。主蒸発器１２の前面には、除霜専用のヒーター１６を配置する（図３参照）。なお、この実施例のオープンショーケースは、冷媒を供給する冷凍機器が別に設置してあって、両者の冷媒配管を接続することにより冷媒を循環できるようになっている。
【００２５】
吹出し口９から吹き出る冷気を商品収容室５に溜め込み、さらに吹出し口９側と吸込み口８側とで商品収容室５の内部温度に差が生じるのを抑止するために、商品収容室５の前縁には、図３および図４に示すごとく左右方向にわたって外堰板１７と、外堰板１７より低い高さの内堰板１８とを前後に対向配置し、両堰板１７・１８間に吸込み口８が形成されている。
【００２６】
ケース後方の高位置に設けた吹出し口９には、複数個の断面Ｌ字状の整流ルーバー１９を配置してあり、吹出し口９から吹き出るエアーカーテンの流れは、内堰板１８の上端に向かって斜め下向きになるようにしてある。
【００２７】
外堰板１７は透明の強化板ガラスで形成してあり、内堰板１８は透明のアクリル板で形成した。図１に示すように、外箱１の後壁の上端寄りに開口した吹出し口９の上縁と、外堰板１７の上端とはほぼ同一高さに設定する。吹出し口９の上側張り出し部分には、照明具２０を配置する。
【００２８】
冷気室７は、内箱２の前後壁に設けた入口２２および出口２３を介して、吹出し口９に連なる冷気循環通路６と、吸込み口８に連なる冷気循環通路６とを連通状にする。これにより、冷気室７は商品収容室５側の冷気循環経路をバイパスすることになる。図３において入口２２および出口２３は、それぞれ上下２段の一群のパンチ孔で形成した。
【００２９】
入口２２は補助蒸発器１５の下端面に臨ませる。そのため、主蒸発器１２と送風ファン１４とを稼動して冷気を循環送給する状態においては、主蒸発器１２からの冷気の一部が補助蒸発器１５にせき止められて、入口２２から冷気室７内へ流れ込む。
【００３０】
主蒸発器１２で冷やされた冷気の一部を冷気室７内に導入して、緩やかに循環させると、冷気室７の冷気温度を低温に維持でき、しかも冷気室７内の冷気分だけ商品収容室５の冷熱量が増加する。したがって、主蒸発器１２で冷やされた冷気の全てを商品収容室５に送給する場合に比べて、商品収容室５の温度状態を一定温度に維持できる。商品収容室５の温度は、商品の頻繁な出し入れなどで変化しやすいが、こうした場合でも、冷気室７内の冷気で商品収容室５を冷却して温度上昇を抑止できるからである。
【００３１】
出口２３から流れ出た冷気は、吸込み口８から吸い込まれた冷気と混ざり合った状態で主蒸発器１２に送給されるので、主蒸発器１２に入り込む冷気温度を下げて、温度ロスを減少できる。さらに、冷気の一部が冷気室７を循環する分だけ、主蒸発器１２に入り込む冷気に含まれる水蒸気の量が減少し、霜の発生を抑止する。送風ファン１４は、軸流型のファン２６と、このファン２６を回転駆動するＤＣモーター２７と、これらを支持するファンフレームなどで構成されている。
【００３２】
主蒸発器１２は外箱１の内面左右幅の全幅にわたって配置するが、送風ファン１４は、ケース幅方向の一定間隔置きに配置してあるに過ぎない。そのため、主蒸発器１２の前面入口のうち、送風ファン１４の近傍に面する個所では冷気の通過量が多く、送風ファン１４から離れるほど、冷気の通過量が少なくなる傾向がある。当然、冷気の通過量が多い個所ほど霜の付着量が多くなる。
【００３３】
こうした、主蒸発器１２における着霜個所のばらつき、および着霜量のばらつきを解消するために、ファン２６による加圧風が、主蒸発器１２の入口側に臨む冷気循環通路６の底壁と衝突する向きに、送風ファン１４を導風枠１３で斜めに支持する。ファン２６から送出された冷気は、冷気循環通路６の底壁に衝突して反転し、全周方向へ変向案内される。そのため、主蒸発器１２の前面入口における冷気の通過量を幅方向へ均して、着霜個所が送風ファン１４の近傍に集中するのを解消できる。このことは、除霜運転の間隔を拡大することに寄与し、主蒸発器１２における熱交換効率を向上することにも役立つ。
【００３４】
ＤＣモーター２７を駆動源にしてファン２６を駆動するので、冷凍機器を駆動する電源や運転周波数の変動とは無関係に、常に安定した回転数でファン２６を駆動できる。したがって、交流モーターでファンを駆動する場合に比べて、冷気の流量のばらつきや、幅方向における流量のむらなどを解消して、常に安定した状態のエアーカーテンを形成できる。
【００３５】
主蒸発器１２における着霜を極力避けて除霜運転間隔を拡大するために、本発明の主蒸発器１２は、図５（ａ）に示すごとく主蒸発器１２は、薄いアルミニウム板材で形成される一群の放熱フィン３０と、フィン群を厚み方向へ繰り返し貫いて連続する冷媒管３１とを含み、従来型の主蒸発器に比べて、冷媒管３１の断面積および有効本数を増加することにより低着霜化を図っている。
【００３６】
本出願人が従来の平型オープンショーケースで使用していた主蒸発器の冷媒管４１は、図５（ｂ）に示すように外直径寸法が9.５２mmの銅管で形成していた。また、冷媒管４１の有効本数、すなわち放熱フィン４０の一群を厚み方向へ貫いている銅管路の本数を１６本としていた。この場合の冷媒管の蒸発面積（表面積）は９７５７００mm2 となる。
【００３７】
本発明の実施例によれば、図５（ａ）に示すように、主蒸発器１２の冷媒管３１は、外直径寸法を１5.８mmの銅管で形成した。また、冷媒管３１の有効本数を２２本とした。この場合の冷媒管の蒸発面積は２２２６６００mm2 となる。因みに、従来の冷媒管４１に比べて、この実施例の冷媒管３１の直径は1.７倍、冷媒管の蒸発面積は2.３倍となる。
【００３８】
上記のように、冷媒管３１をより太く、しかもより高密度で配置してその蒸発面積を拡大することにより、主蒸発器１２の冷媒管３１の入口、および出口における冷媒温度は、従来の蒸発器に比べてより高くすることができた。
【００３９】
具体的には、従来の主蒸発器の冷媒管３１の入口における冷媒温度は−２２℃、出口における冷媒温度は−２１〜−１６℃であった。これに対して、本実施例の主蒸発器１２によれば、主蒸発器１２の冷媒管３１の入口における冷媒温度を−１7.５℃、出口における冷媒温度を−１７〜−１２℃とすることができ、全体として冷媒温度を４℃高めることができた。試験は気温２７℃、湿度７０％の周辺条件で行った。
【００４０】
主蒸発器１２に対する冷媒の供給条件を一定とするとき、冷媒管３１をより太くすると、その断面積が大きい分だけ、管内部における冷媒圧力が低下し、その結果として、冷媒温度が高くなる。逆に、より細い冷媒管４１で冷媒液を気化させると、冷媒管４１の断面積が小さい分だけ、管内部における冷媒圧力が高くなり、その結果として、冷媒液の温度上昇度合いは小さくなる。また、冷媒管３１の有効管路長さが大きい分だけ、冷媒液の温度上昇度合は大きくなる。このような理由で、先に例示した冷媒の温度上昇を促進し、主蒸発器１２の低着霜化を実現できる。
【００４１】
上記構成のオープンショーケースは、常態において、主蒸発器１２と送風ファン１４とを稼動して、商品収容室５の上方にエアーカーテンを形成することにより、デッキパン４上に陳列の商品を低温状態に維持する。このとき、補助蒸発器１５は稼動されておらず、主蒸発器１２で冷却された冷気は、補助蒸発器１５を単に通り抜けて吹出し口９から吹き出される。エアーカーテンの大半は、内堰板１８に受け止められて商品収容室５内をデッキパン４に沿って循環しながら、陳列された商品を冷却したのち、内堰板１８を乗り越えるようにして吸込み口８から吸い込まれて、再び主蒸発器１２へ送給される。このとき、主蒸発器１２で冷却された冷気の一部が冷気室７を介して緩やかに循環するのは、既に説明したとおりである。
【００４２】
除霜運転は予め設定された時間ごとに行う。除霜運転時には、送風ファン１４を駆動した状態のままで、切換弁３３を切り換えて主蒸発器１２への冷媒液の供給を停止し、補助蒸発器１５にのみ冷媒液を送給する。同時に除霜用のヒーター１６に通電する。送風ファン１４で送給された冷気は、ヒーター１６に接触して加熱され、主蒸発器１２を通過する間に、放熱フィン３０の間などに付着の霜を融かす。主蒸発器１２を通過した温風は、補助蒸発器１５を通過する間に冷却されて、吹出し口９から吹き出し供給される。このときの冷気温度は、吹出し口９の近傍に設けた第１温度センサー３４で検出されており、冷気温度の上昇に伴って補助蒸発器１５への冷媒供給量を増加して、冷気温度を下げられるようにしてある。
【００４３】
主蒸発器１２を通過した温風の一部は冷気室７側を循環するが、その循環量は僅かでしかない。したがって、冷気室７側を循環する温風によって、商品収容室５に陳列した商品の鮮度が低下することはない。主蒸発器１２の後面出口側には温風温度を検出する第２温度センサー３５が設けてある。この温度センサー３５の検出温度が一定温度を越えた時点で、除霜運転を終了する。具体的には、補助蒸発器１５の稼動を停止し、さらに除霜用のヒーター１６への通電を停止したうえで、主蒸発器１２を稼動して、より低温の冷気を商品収容室５に供給する。
【００４４】
以後は、定常運転状態と、除霜運転状態とを繰り返すことにより、商品収容室５内に陳列した商品の鮮度を維持できる。定常運転状態における主蒸発器１２は、第１温度センサー３４と、吸込み口８の近傍に設けた第３温度センサー３６とで検出した温度状態に応じて、運転あるいは停止して、商品収容室５内の温度を一定にする。
【００４５】
上記の実施例では、ヒーター１６を熱源にして除霜を行ったが、高温の冷媒液を熱源にして除霜してもよい。冷凍機器はオープンショーケースに内蔵しておくことができる。除霜運転は一定時間ごとに行う必要はなく、冷気循環通路６の温度状態と、主蒸発器１２の通過風量などを検知して開始することができる。冷気室７の出口に送風量が小さな小形の送風ファンを配置して、冷気室７内の冷気を半強制的に循環させることができる。その場合には、入口２２から冷気を導入できることに加えて、商品収容室５内の冷気の一部を冷気室７側へ導入することができる。
【図面の簡単な説明】
【００４６】
【図１】ショーケースの縦断側面図である。
【図２】ショーケースの縦断正面図である。
【図３】ショーケースを破断した斜視図図である。
【図４】吸込み口の詳細構造を示す断面図である。
【図５】主蒸発器の構造を概念的に示す断面図である。
【符号の説明】
【００４７】
２  内箱
４  デッキパン
５  商品収容室
６  冷気循環通路
７  冷気室
８  吸込み口
９  吹出し口
１２  主蒸発器
１３  導風枠
１４  送風ファン
１５  補助蒸発器
１７  外堰板
１８  内堰板
１９  整流ルーバー
２２  入口
２３  出口
２６  ファン
２７  ＤＣモーター
３１  冷媒管
【図１】
2006046843.tif 000003
【図２】
2006046843.tif 000004
【図３】
2006046843.tif 000005
【図４】
2006046843.tif 000006
【図５】
2006046843.tif 000007